(57)【要約】      （修正有）【課題】縫い合わせ固定方式のかわりに加圧接着固定方式を採用し、ファンと組み合わせて使用され、簡単で、快適で、丈夫で、変形し難く、風漏れしないなどの利点を有する。また、吸汗速乾布が使用されることで、上半身が快適であるが、下半身が暑いという問題を解決する冷房スーツを提供する。【解決手段】冷房スーツは、衣服本体１、及びファン２を備え、ファン２と衣服本体１との接続部に加圧接着層３が設置され、加圧接着層３が衣服本体１生地に密着して加圧接着成形され、ファンの固定部を形成し、加圧接着層３の上部に複数の補強リブが設置され、補強リブの上面に別の加圧接着層３が設置されることで、ファン固定後、固定部全体が変形しない。【選択図】図１
0003225344.tif 000002
【実用新案登録請求の範囲】
【請求項１】
衣服本体、及びファンを備える冷房スーツであって、ファンと衣服本体との接続部に加圧接着層が設置され、加圧接着層が衣服本体生地に密着して加圧接着成形され、ファンの固定部を形成し、加圧接着層内に複数の補強リブが設置されることで、ファン固定後、固定部全体が変形しないことを特徴とする冷房スーツ。
【請求項２】
前記衣服本体の裏面に２つの前記固定部が設置され、前記固定部の中心部に打抜き又はレーザーによってファン取り付け孔が形成されることを特徴とする請求項１に記載の冷房スーツ。
【請求項３】
前記固定部は角型構造であり、内部に複数の前記補強リブが前記ファン取り付け孔の中心点から外へ広がるように設置されることを特徴とする請求項２に記載の冷房スーツ。
【請求項４】
前記固定部はリング状構造であり、内部に複数の前記補強リブが前記ファン取り付け孔の中心点から外へ広がるように設置されることを特徴とする請求項２に記載の冷房スーツ。
【請求項５】
前記衣服本体の背部に吸汗速乾布が設置され、吸汗速乾布の上部が２つの前記ファンの間に固定され、吸汗速乾布が所定長さ設置され、その下端が前記衣服本体の下縁の下部まで延びることで、吸汗速乾布の下部をズボン内に入れて下半身の熱を吸収することができることを特徴とする請求項１に記載の冷房スーツ。
【請求項６】
前記ファンはファン本体及び接続リングを備え、ファン本体の後端に多角形フランジが設置され、ファン本体の外面に雄ねじが設置され、接続リングの内壁に雌ねじが設置されることを特徴とする請求項２に記載の冷房スーツ。
【請求項７】
前記ファン本体の前端が前記ファン取り付け孔を貫通し、接続リングがその前端からファン本体に螺合され、且つ多角形フランジと接続リングとの間に前記加圧接着層を押し締めることで、前記ファンを前記衣服本体に固定することを特徴とする請求項６に記載の冷房スーツ。
【請求項８】
前記加圧接着層は複数層の接着テープを加圧接着成形してなり、隣接する２つの接着テープの間に前記複数の補強リブが設置され、前記加圧接着層の強度が衣服本体生地の強度よりも大きいことを特徴とする請求項１に記載の冷房スーツ。
【考案の詳細な説明】
【技術分野】
【０００１】
本考案は冷房スーツに関し、特に縫い合わせのかわりに加圧接着プロセスを用いた冷房スーツに関する。
【背景技術】
【０００２】
現在、地球温暖化のため気温が上昇するにつれて、高温環境で作業する人々にとって、長時間の作業は必然的に身体の熱、水分、電解質などの物質の代謝の不均衡につながり、脱水、痙攣、熱中症などの現象を起こしやすくなり、さらに熱中症など生命安全にかかわる状況が発生し、従って、高温作業者は通常、冷房スーツを着用することによって降温させ、冷房スーツ内に装着されたファンによって衣服内の温度を調整し、さらに体温が上昇し過ぎて上記状況の発生を招くことを回避する。
【０００３】
従来技術では、通常、冷房スーツに装着されたファンによって風を衣服内に送り、身体を降温させ、着用者を涼しく快適に感じさせる。一般には、ファンを冷房スーツ内のネットバッグに入れ、ネットバッグが縫い等の方式によって冷房スーツに接続され、また、冷房スーツは通気性を確保するために、一般には単層構造としている。しかしながら、単層構造のファン接続部での剛性が不足し、ファンの質量が比較的大いため、冷房スーツは使用の後期、接続口が破断してファンが冷房スーツから脱落し、冷房スーツの寿命が短い。また、冷房スーツは使用中、ほとんど上衣のみに小型ファンが取り付けられ、上半身は快適であるが、下半身はまだ暑い。
【考案の概要】
【０００４】
従来技術の問題に対して、本考案は構造が改良され、寿命が長く、快適感がさらに良好な冷房スーツを提供することを目的とする。
【０００５】
上記目的を実現するために、本考案の冷房スーツは、衣服本体、及びファンを備え、ファンと衣服本体との接続部に加圧接着層が設置され、加圧接着層が衣服本体生地に密着して加圧接着成形され、ファンの固定部を形成し、加圧接着層内に複数の補強リブが設置されることで、ファン固定後、固定部全体が変形しない。
【０００６】
さらに、前記衣服本体の裏面に２つの前記固定部が設置され、前記固定部の中心部に打抜き又はレーザーによってファン取り付け孔が形成される。
【０００７】
さらに、前記固定部は角型構造であり、内部に複数の前記補強リブが前記ファン取り付け孔の中心点から外へ広がるように設置される。
【０００８】
さらに、前記固定部はリング状構造であり、内部に複数の前記補強リブが前記ファン取り付け孔の中心点から外へ広がるように設置される。
【０００９】
さらに、前記衣服本体の背部に吸汗速乾布が設置され、吸汗速乾布の上部が２つの前記ファンの間に固定され、吸汗速乾布が所定長さ設置され、その下端が前記衣服本体の下縁の下部まで延びることで、吸汗速乾布の下部をズボン内に入れて下半身の熱を吸収することができる。
【００１０】
さらに、前記ファンはファン本体及び接続リングを備え、ファン本体の後端に多角形フランジが設置され、ファン本体の外面に雄ねじが設置され、接続リングの内壁に雌ねじが設置される。
【００１１】
さらに、前記ファン本体の前端が前記ファン取り付け孔を貫通し、接続リングがその前端からファン本体に螺合され、且つ多角形フランジと接続リングとの間に前記加圧接着層を押し締めることで、前記ファンを前記衣服本体に固定する。
【００１２】
さらに、前記加圧接着層は複数層の接着テープを加圧接着成形してなり、隣接する２つの接着テープの間に前記複数の補強リブが設置され、前記加圧接着層の強度が衣服本体生地の強度よりも大きい。
【００１３】
本考案の冷房スーツは、従来の縫い合わせ固定方式のかわりに加圧接着固定方式を採用し、ファンと組み合わせて使用され、簡単で、快適で、丈夫で、変形し難く、風漏れしないなどの利点を有する。また、吸汗速乾布が使用されることで、上半身が快適でるが、下半身が暑いという問題を解決する。
【図面の簡単な説明】
【００１４】
【図１】冷房スーツの展開図である。
【図２】ファンの固定孔の図である。
【図３】加圧接着部位に補強リブが設置される模式図である。
【図４】冷房スーツの別の実施例の展開図である。
【図５】別の実施例のファンの固定孔の図である。
【図６】ファンの側面図である。
【図７】ファンの正面図である。
【図８】接続リングの構造模式図である。
【図９】加圧接着剤と衣服生地との接続部の断面図である。
【図１０】吸汗速乾布が衣服本体に取り付けられる正面展開図である。
【考案を実施するための形態】
【００１５】
以下、図面を参考して本考案をより全面的に説明し、図中、本考案の例示的な実施例が示されている。しかし、本考案は様々な形態で実施でき、ここで述べる例示的な実施例に限定されるものではない。これらの実施例は、本考案をより完備化及び完全化し、本考案の範囲を当業者に完全に伝えるために提供されるのである。
【００１６】
説明の便宜上、ここで、例えば「上」、「下」「左」「右」等の相対空間用語を使用して、図示される１つの構成要素又は特徴の別の構成要素又は特徴に対する関係を説明することができる。なお、図示される方位を除き、空間用語は装置の使用又は操作中の異なる方位を含むことを意味する。例えば、図中の装置が逆さまにされると、ほかの構成要素又は特徴の「下」にあると述べられた構成要素はほかの構成要素又は特徴の「上」に位置決めされる。従って、例示的な用語「下」は上及び下の方位の両方を含む。装置はほかの方式で位置決めされ（９０°回転する又はほかの方位にある）、ここで使用される相対空間説明は相応しく理解できる。
【００１７】
図１〜図１０に示すように、本考案の冷房スーツは衣服本体１、ファン２、及び吸汗速乾布１１を備える。衣服本体１の背部に２つのファン取り付け孔４が設置され、各ファン取り付け孔４のエッジに加圧接着層３が設置され、２つのファン２がそれぞれ２つのファン取り付け孔４内に取り付けられる。
【００１８】
加圧接着層３が衣服本体生地８に密着して加圧接着成形され、ファン２の固定部を形成し、衣服本体１の裏面に２つの前記固定部が設置され、固定部の中心部に打抜き又はレーザーによってファン取り付け孔４が形成される。加圧接着層３内に複数の補強リブ１４が設置されることで、ファン２の固定後、固定部全体が変形しない。加圧接着層３は複数層の接着テープを加圧接着成形してなり、隣接する２つの接着テープの間に複数の補強リブ１４が設置され、前記加圧接着層の強度が衣服本体生地８の強度よりも大きい。
【００１９】
図１、図２、図３に示すように、固定部（加圧接着層３）は角型構造であり、内部に複数の補強リブ１４が前記ファン取り付け孔４の中心点から外へ広がるように設置される。図４、図５に示すように、固定部（加圧接着層３）はリング状構造であってもよく、内部に複数の前記補強リブが前記ファン取り付け孔の中心点から外へ広がるように設置される。
【００２０】
ファン２はファン本体５及び接続リング１０を備え、  ファン本体５の後端に多角形フランジ７が設置され、ファン本体５の外面に雄ねじ６が設置され、接続リング１０の内壁に雌ねじ９が設置される。
【００２１】
接続リング１０が雌ねじ９によってファン本体５の雄ねじ６に螺合可能であることで、ファン２を衣服本体１に取り付ける時、まずファン本体５の前端を衣服本体１の背部からファン取り付け孔４を貫通させ、さらに接続リング１０を衣服本体１の前部からファン本体５に螺合し、ファン取り付け孔４が打抜き又はレーザーによってファン２と衣服本体１の裏面との接続部に設けられる。多角形フランジ７と接続リング１０との間に加圧接着層３を押し締めることで、ファン２を衣服本体１に密着して固定する。
【００２２】
衣服本体１の背部に吸汗速乾布１１が設置され、その上部が衣服本体１の裏面に取り付けられ、且つファン２に近接し、吸汗速乾布１１の上部が２つのファン２の間に固定され。吸汗速乾布１１が所定長さ設置され、衣服本体１の下縁の下部まで延びる。正常着用後、衣服本体１の下縁がウエスト１２を覆い、吸汗速乾布１１の下部をズボン１３内に入れて下半身の熱を吸収することができる。
【００２３】
吸汗速乾布１１が汗を吸収して身体の汗の蒸発を加速し、身体の熱を吸収し、使用時、吸汗速乾布１１の下部が下半身の汗、熱を吸収して吸汗速乾布１１の上部に伝達し、且つファン２からの送風によってタイムリーに揮発させ、下半身の汗、熱を効果的に放出し、身体が爽やかかつ快適になる。冷房スーツの使用中、ほとんど上衣のみに小型ファンが取り付けられ、上半身は快適であるが、下半身はまだ暑いという問題を解決する。
【００２４】
本考案の冷房スーツは、従来の縫い合わせ固定方式のかわりに加圧接着固定方式を採用し、製造工程を簡素化し、製造コストを削減させ、衣服に使用される場合、生地及び衣服の着用性能を改善し、生地と接着した後、美しい外形を形成し、構造が安定し、形状の耐久性が優れ、着用や選択による変形を防止する。補強の効果を有する。また、ファンが衣服のエッジに圧着されることで、丈夫であり、耐荷重性が高く、変形も風漏れもしない。
【符号の説明】
【００２５】
１−衣服本体、２−ファン、３−加圧接着層、４−ファン取り付け孔、５−ファン本体、６−ファン本体雄ねじ、７−ファン本体多角形フランジ、８−衣服本体生地、９−接続リング雌ねじ、１０−接続リング、１１−吸汗速乾布、１２−ウエスト、１３−ズボン，１４−補強リブ
【図１】
0003225344.tif 000003
【図２】
0003225344.tif 000004
【図３】
0003225344.tif 000005
【図４】
0003225344.tif 000006
【図５】
0003225344.tif 000007
【図６】
0003225344.tif 000008
【図７】
0003225344.tif 000009
【図８】
0003225344.tif 000010
【図９】
0003225344.tif 000011
【図１０】
0003225344.tif 000012